(57)【要約】      （修正有）【課題】ハウジングに対してカバーを容易に組み付けることができると共に、カードの着脱時にハウジングからカバーが脱落することを防止することができるカード用コネクタを提供すること。【解決手段】ハウジングに設けられた挿通孔３６に、カバーに設けられた軸部２３を挿通させることにより、ハウジングとカバーとが回動可能に連結される。挿通孔３６は軸部２３を軸支する回動孔５６と、回動孔５６に軸部２３を案内する案内孔５７とを有し、軸部２３は回動孔５６を貫通した先端側に回動孔５６からはみ出す張り出し部５３を有し、軸部２３の回動孔５６からの抜け外れを防止する構成とした。【選択図】図３
2012004011.tif 000002
【特許請求の範囲】
【請求項１】
ハウジングと、前記ハウジングに回動可能に連結され、前記ハウジングと共にカードの収容部を形成するカバーとを備え、
前記ハウジングおよび前記カバーは、いずれか一方に設けられた挿通孔に、いずれか他方に設けられた軸部を挿通させることにより連結され、
前記挿通孔は、前記ハウジングに前記カバーが回動可能に連結される連結位置に形成され、前記軸部を軸支する回動孔と、前記回動孔に連なり、前記ハウジングから前記カバーが外れる非連結位置から前記連結位置に前記軸部を案内する案内孔とを有し、
前記軸部は、前記回動孔を貫通した突出端側に、前記回動孔からはみ出すように設けられた張り出し部を有することを特徴とするカード用コネクタ。
【請求項２】
前記案内孔は、前記ハウジングの実装基板に載置される載置面側から前記軸部を回動孔に案内することを特徴とする請求項１に記載のカード用コネクタ。
【請求項３】
前記挿通孔は、板状部材に形成されており、
前記板状部材は、前記ハウジングにおける前記カードの収容部を挟んで対向する２箇所に埋設されたことを特徴とする請求項１または請求項２に記載のカード用コネクタ。
【請求項４】
前記軸部は、前記ハウジングにおける前記カードの収容部を挟んで対向する２箇所に埋設されたことを特徴とする請求項１または請求項２に記載のカード用コネクタ。
【請求項５】
前記張り出し部が設けられるように、前記軸部が絞り加工により形成されたことを特徴とする請求項１から請求項４のいずれかに記載のカード用コネクタ。
【請求項６】
前記軸部の基端側は、直交する長軸および短軸を有する断面形状を有し、
前記回動孔は、前記軸部の基端側の長軸寸法以上の直径を有する円形孔であり、
前記案内孔は、前記回動孔に連なり、前記軸部の基端側の長軸寸法よりも小さく、かつ短軸寸法以上の孔幅を有するスライド孔を含み、
前記スライド孔は、前記連結位置から前記カバーが前記ハウジングにロックされるロック位置まで延在し、
前記カバーが上方に開かれた状態では、前記軸部の基端側の長軸方向が前記スライド孔の延在方向に交差して前記軸部の前記ロック位置へのスライドが規制され、前記カバーが閉じられた状態では、前記軸部の基端側の長軸方向が前記スライド孔の延在方向に沿うことで前記軸部の前記ロック位置へのスライドが許容されることを特徴とする請求項１から請求項５のいずれかに記載のカード用コネクタ。
【請求項７】
前記案内孔は、前記スライド孔の延在方向に略直交し、前記ロック位置から非連結位置まで延在する組み付け孔を含み、
前記組み付け孔は、前記軸部の基端側の長軸寸法以上の孔幅を有することを特徴とする請求項６に記載のカード用コネクタ。
【発明の詳細な説明】
【技術分野】
【０００１】
本発明は、カード用コネクタに関し、特に、ハウジングに対し開閉可能に連結されたカバーを有するカード用コネクタに関する。
【背景技術】
【０００２】
従来、開閉可能なカバーを有するカード用コネクタとして、ハウジングとカバーとがヒンジ構造により連結されたものが知られている（例えば、特許文献１参照）。この特許文献１に記載のカード用コネクタは、ハウジングの幅方向における外側面に設けられた溝部に、カバーの側板部から内向きに突出した軸部を挿通させて連結されている。ハウジングの溝部は、カバーの軸部を軸支する円形溝と、円形溝から後方に延びる長溝とで構成されている。カバーの軸部の断面形状は、直交する一方向が円形溝の直径に合い、他方向が長溝の溝幅に合うようなトラック形状に形成されている。
【０００３】
そして、カバーの軸部をハウジングの円形溝に位置させることで、ハウジングに対してカバーの開閉が可能となる。また、カバーを閉じると、軸部の長径方向が長溝の延在方向に向けられる。この状態で、ハウジングに対してカバーをスライドさせることで、カバーの軸部がハウジングの長溝内に侵入され、ハウジングに対してカバーを閉状態でロックすることが可能となっている。
【先行技術文献】
【特許文献】
【０００４】
【特許文献１】特開２００８−２８７９１９号公報
【発明の概要】
【発明が解決しようとする課題】
【０００５】
ところで、上記した従来のカード用コネクタにおいては、ハウジングにカバーを組み付ける際に、カバーの両側板部をハウジングの外側面に沿わせて側板部を弾性変形させることにより、カバーの軸部をハウジングの溝部に挿通させている。このため、ハウジングに対するカバーの組み付けが煩わしい作業となっていた。また、上記理由等によりカバーが弾性変形しやすいように形成されているため、カードが着脱されるカバーの開閉時にひねり等の過負荷が加わると、カバーの軸部がハウジングの溝部から抜け外れてハウジングからカバーが脱落し易いという問題があった。
【０００６】
本発明はこのような実情に鑑みてなされたものであり、ハウジングに対してカバーを容易に組み付けることができると共に、カードの着脱時にハウジングからカバーが脱落することを防止することができるカード用コネクタを提供することを目的とする。
【課題を解決するための手段】
【０００７】
本発明のカード用コネクタは、ハウジングと、前記ハウジングに回動可能に連結され、前記ハウジングと共にカードの収容部を形成するカバーとを備え、前記ハウジングおよび前記カバーは、いずれか一方に設けられた挿通孔に、いずれか他方に設けられた軸部を挿通させることにより連結され、前記挿通孔は、前記ハウジングに前記カバーが回動可能に連結される連結位置に形成され、前記軸部を軸支する回動孔と、前記回動孔に連なり、前記ハウジングから前記カバーが外れる非連結位置から前記連結位置に前記軸部を案内する案内孔とを有し、前記軸部は、前記回動孔を貫通した突出端側に、前記回動孔からはみ出すように設けられた張り出し部を有することを特徴とする。
【０００８】
この構成によれば、案内孔を介して軸部が回動孔に位置付けられることで、カバーをハウジングに対して回動可能に連結することができる。このため、従来のように、カバーを弾性変形させることなく、ハウジングに対してカバーを容易に組み付けることができる。また、軸部の突出端側に回動孔からはみ出すように張り出し部が設けられているため、カバーの開閉時にひねり等の過負荷が加わっても、回動孔から軸部が抜け外れることがなく、ハウジングからのカバーの脱落が防止される。さらに、弾性変形させることなくカバーをハウジングに組み付けることができるため、剛性の高い材料を用いてカバーを形成することで、ひねり等の過負荷によるカバーの変形を抑えて、ハウジングからのカバーの脱落をさらに効果的に防止できる。
【０００９】
また本発明は、上記カード用コネクタにおいて、前記案内孔は、前記ハウジングの実装基板に載置される載置面側から前記軸部を回動孔に案内することを特徴とする。
【００１０】
この構成によれば、ハウジングが実装基板に載置されると、実装基板により案内孔が塞がれる。このため、実装基板に対するカード用コネクタの実装時には、軸部が案内孔を介して、ハウジングからカバーが外れる非連結位置に移動されることがない。
【００１１】
また本発明は、上記カード用コネクタにおいて、前記挿通孔は、板状部材に形成されており、前記板状部材は、前記ハウジングにおける前記カードの収容部を挟んで対向する２箇所に埋設されたことを特徴とする。
【００１２】
この構成によれば、ハウジングに埋設された一対の板状部材に挿通孔が形成され、この挿通孔にカバーに設けられた一対の軸部が挿通されることにより、ハウジングとカバーとを強固に連結することができる。
【００１３】
また本発明は、上記カード用コネクタにおいて、前記軸部は、前記ハウジングにおける前記カードの収容部を挟んで対向する２箇所に埋設されたことを特徴とする。
【００１４】
この構成によれば、ハウジングに埋設された一対の軸部が、カバーに形成された一対の挿通孔に挿通されることにより、ハウジングとカバーとを強固に連結することができる。
【００１５】
また本発明は、上記カード用コネクタにおいて、前記張り出し部が設けられるように、前記軸部が絞り加工により形成されたことを特徴とする。
【００１６】
この構成によれば、張り出し部を設けた軸部を、金型により簡易に形成することができる。
【００１７】
また本発明は、上記カード用コネクタにおいて、前記軸部の基端側は、直交する長軸および短軸を有する断面形状を有し、前記回動孔は、前記軸部の基端側の長軸寸法以上の直径を有する円形孔であり、前記案内孔は、前記回動孔に連なり、前記軸部の基端側の長軸寸法よりも小さく、かつ短軸寸法以上の孔幅を有するスライド孔を含み、前記スライド孔は、前記連結位置から前記カバーが前記ハウジングにロックされるロック位置まで延在し、前記カバーが上方に開かれた状態では、前記軸部の基端側の長軸方向が前記スライド孔の延在方向に交差して前記軸部の前記ロック位置へのスライドが規制され、前記カバーが閉じられた状態では、前記軸部の基端側の長軸方向が前記スライド孔の延在方向に沿うことで前記軸部の前記ロック位置へのスライドが許容されることを特徴とする。
【００１８】
この構成によれば、カバーが上方に開かれた状態で、軸部のロック位置へのスライドが規制され、カバーが閉じられた状態で、軸部のロック位置へのスライドが許容される。したがって、半開き状態のカバーがハウジングに対してスライドされることがなく、カバーがハウジングに対して閉じられた場合にのみハウジングに対してスライドされて、カバーを確実に閉状態でロックすることができる。
【００１９】
また本発明は、上記カード用コネクタにおいて、前記案内孔は、前記スライド孔の延在方向に略直交し、前記ロック位置から非連結位置まで延在する組み付け孔を含み、前記組み付け孔は、前記軸部の基端側の長軸寸法以上の孔幅を有することを特徴とする。
【００２０】
この構成によれば、軸部の長軸方向をスライド孔の延在方向に向けた状態で、軸部を組み付け孔内およびスライド孔内を介して回動孔に案内することができる。したがって、ハウジングに対してカバーの姿勢を変えることなく組み込むことが可能となる。
【発明の効果】
【００２１】
本発明によれば、ハウジングに対してカバーを容易に組み付けることができると共に、カードの着脱時にハウジングからカバーが脱落することを防止することができる。
【図面の簡単な説明】
【００２２】
【図１】本発明に係るカード用コネクタの実施の形態を示す図であり、カード用コネクタの斜視図である。
【図２】本発明に係るカード用コネクタの実施の形態を示す図であり、カード用コネクタからカバーを外した斜視図である。
【図３】本発明に係るカード用コネクタの実施の形態を示す図であり、軸部および挿通孔の拡大図である。
【図４】本発明に係るカード用コネクタの実施の形態を示す図であり、ハウジングに対するカバーの組み付け作業の説明図である。
【図５】本発明に係るカード用コネクタの実施の形態を示す図であり、カード用コネクタに対するカードの装着動作の説明図である。
【図６】本発明に係るカード用コネクタの実施の形態を示す図であり、カードの平面図である。
【発明を実施するための形態】
【００２３】
以下、本発明の第一の実施の形態について添付図面を参照して詳細に説明する。なお、以下においては、本発明をマイクロＳＤカード用のカード用コネクタに適用する場合について説明する。しかしながら、本実施の形態に係るカード用コネクタの適用対象については、これに限定されるものではなく適宜変更が可能である。
【００２４】
まず、本実施の形態に係るカード用コネクタについて説明する前に装着対象となるカードについて説明する。図６は、本発明の実施の形態に係るカードの平面図である。
【００２５】
図６に示すように、カード５は、いわゆるマイクロＳＤカードであり、上面視略矩形状に形成されている。カード５は、平面視において、先端側の略半部が後端側の略半部よりも幅狭となるように形成されている。カード５の後端側の一側部には、ハウジング２に形成された後述する係止部４１に係止される切欠部９が部分的に形成されている。カード５は、切欠部９が係止部４１に係止されることでカード用コネクタ１から抜け止めされる。
【００２６】
カード５の先端側の背面には、カード用コネクタ１の複数のコンタクト端子３１に接触する図示しない複数のパッドが設けられている。また、カード５は、先端部から後端部近傍にかけて略一定の厚みであり、後端部において厚みが大きくなる段状に形成されている。カード５は、段状に形成された後端部が摘ままれた状態で、カバー３を開いたカード用コネクタ１の収容部４に上方から装着される。このとき、カード５の後端部は、カード用コネクタ１の前方の開口から突出される。
【００２７】
次に、図１および図２を参照して、カード用コネクタの全体構成について説明する。図１は、本発明の実施の形態に係るカード用コネクタの斜視図である。図２は、本発明の実施の形態に係るカード用コネクタからカバーを外した斜視図である。
【００２８】
図１および図２に示すように、本実施の形態に係るカード用コネクタ１は、上面および前面が開口されたハウジング２と、ハウジング２の上面の開口に装着されてカードの収容部４を形成するカバー３とを備え、ハウジング２およびカバー３が組み合わされて前方を開口した箱状体をなしている。カバー３は、ハウジング２の後端側に連結されており、開閉動作時に連結部分を中心として回動される。
【００２９】
また、カバー３は、ハウジング２に対して閉状態で前後方向にスライド可能に構成されている。カバー３は、ハウジング２に対して前方側にスライドされることで、ハウジング２に対して閉状態にロックされ、後方側にスライドされることでハウジング２に対するロックが解除される。すなわち、カバー３は、ハウジング２の後方側であるオープン方向へのスライドによりカード５の着脱を許容し、ハウジング２の前方側であるロック方向へのスライドによりカード５の着脱を禁止する。
【００３０】
カバー３は、金属板材を折り曲げて形成されており、ハウジング２と共にカード５の収容部４を形成する上板部１１と、上板部１１の前後方向の２箇所で連結された一対の側板部１２とを有している。上板部１１の後端側には、カバー３のロック方向へのスライドにより上方に付勢される押し上げ片１５が設けられている。一対の側板部１２は、上板部１１との連結部間に形成されたクリックバネ１６と、上板部１１よりも後方に延びる腕片１７とを有している。各クリックバネ１６は、両持ちでバネであり、延在方向の略中間位置に内側に突出した凸部２１が設けられている。また、各クリックバネ１６の後端側には、下端面から略直角に内向きに折り返された爪片２２が形成されている。
【００３１】
各腕片１７には、ハウジング２に回動可能に軸支される軸部２３が設けられている。軸部２３は、ハウジング２に設けられた板状部材３５の挿通孔３６に挿通されることで、カバー３とハウジング２とを回動可能かつ前後方向にスライド可能に連結する。なお、軸部２３および挿通孔３６の詳細構成については後述する。また、各腕片１７には、延在方向に沿って外方に突出された補強部２４が形成されている。この補強部２４により、腕片１７の剛性が高められている。
【００３２】
ハウジング２は、金属板を打ち抜いて形成した端子材を合成樹脂材でインサート成形して形成されている。ハウジング２の底壁部２６には、前方側および奥方側に略矩形状の開口部２８、２９が形成されている。この開口部２８、２９の間には、複数のコンタクト端子３１を保持する端子保持部３２が設けられている。端子保持部３２は、ハウジング２の幅方向に延在し、複数のコンタクト端子３１を所定の間隔を空けて横並びに保持している。複数のコンタクト端子３１は、ハウジング２の奥方側の開口部２８において露出され、端子保持部３２の奥方側の端面から奥方に向けて突出される。
【００３３】
複数のコンタクト端子３１は、基端部が端子保持部３２に保持された片持バネであり、先端側を円弧状に曲げて形成されている。複数のコンタクト端子３１は、円弧状の先端側がカード５の背面に設けられたパッドに接触されることで、カード５との間で信号の授受が行われる。また、複数のコンタクト端子３１の基端側は、それぞれハウジング２の前方側の開口部２９において露出された外部端子３３に接続されている。複数の外部端子３３は、端子保持部３２の前方側の端面から前方に向けて突出される。
【００３４】
ハウジング２の両側壁部２７の奥方側には、カバー３に連結される板状部材３５が埋設されている。板状部材３５には、カバー３の軸部２３を回動可能かつスライド可能に支持すると共に、ハウジング２に対するカバー３の組み付けを可能とする挿通孔３６が形成されている。また、ハウジング２の両側壁部２７における板状部材３５の前方側には、カバー３のロック方向へのスライド時に、カバー３の開閉動作を規制する規制部３７が設けられている。規制部３７は、カバー３の爪片２２を上方から押えるように突出しており、爪片２２に係合してカバー３の上方への回動を規制する。
【００３５】
さらに、両側壁部２７における規制部３７の前方側には、カバー３のロック方向へのスライド時にクリック感を生起させる傾斜部３８および弾接バネ３９が設けられている。傾斜部３８は、ハウジング２の前方側に向かって外方に突出するように傾斜しており、カバー３のロック方向へのスライド時にクリックバネ１６の凸部２１を前方側に案内する。クリックバネ１６の凸部２１は、傾斜部３８に乗り上げることでクリックバネ１６を側方に押し広げ、傾斜部３８を乗り越えることでクリック感を生起しつつクリックバネ１６を復帰させる。弾接バネ３９は、ハウジング２の前方から後方に延びる片持バネであり、傾斜部３８を乗り越えたクリックバネ１６の凸部２１に内側から弾接する。
【００３６】
ハウジング２の収容部４は、カード５の外形形状に対応するように形成されている。すなわち、ハウジング２の一の側壁部２７に、カード５の切欠部９を係止する係止部４１と、奥方側の装着空間を狭めるようにガイド壁部４２とが設けられている。このように、収容部４は、カード５の外形形状に対応して形成されるため、カード５を位置決めした状態で収容する。
【００３７】
ガイド壁部４２および一の側壁部２７に囲まれた空間には、押圧バネ４３が設けられている。押圧バネ４３は、奥壁部２５から前方に延びる片持ちバネであり、カバー３のロック方向へのスライド時に、押し上げ片１５を介してカバー３を上方に付勢する。このため、カバー３の爪片２２とハウジング２の規制部３７とが強く係合され、ハウジング２に対するカバー３のがたつきが抑えられる。ハウジング２の両側壁部２７には、それぞれ前後二か所に取付片４５が設けられている。カード用コネクタ１は、この取付片４５を介して図示しない実装基板に取り付けられる。
【００３８】
図３を参照して、本発明の特徴部分であるカバーの軸部とハウジングの挿通孔の詳細構成について説明する。図３は、本発明の実施の形態に係る軸部および挿通孔の拡大図である。
【００３９】
図３に示すように、軸部２３は、腕片１７の一部に逃げ孔を打ち抜き、絞り加工をすることにより形成される。軸部２３は、腕片１７から内側に曲げられた上下一対の支持部５１と、一対の支持部５１に両持ちで支持される先端部５２とを有している。一対の支持部５１は、腕片１７と先端部５２との間隔が板状部材３５の板厚よりも大きくなるように、腕片１７から先端部５２を突出させている。このため、軸部２３が挿通孔３６に挿通されると、板状部材３５の裏面側に先端部５２が位置される。
【００４０】
先端部５２は、腕片１７の延在方向、すなわちカバー３のスライド方向を長軸としたトラック形状を有している。先端部５２の長軸方向の両端部は、張り出し部５３となっており、板状部材３５の裏面に係合して軸部２３の挿通孔３６からの抜け外れを防止する。このように、軸部２３は、基端側において挿通孔３６に回動可能かつスライド可能に支持され、先端側において板状部材３５の裏面に係合する。また、軸部２３は、挿通孔３６の外縁部に対する接触部分に面取りが施されており、挿通孔３６に対してスムーズに摺動される。
【００４１】
板状部材３５は、ハウジング２の側壁部２７の外面に沿うように設けられ、軸部２３が挿通される挿通孔３６が形成されている。板状部材３５の裏面側には、側壁部２７の外面を窪ませて凹部５４が形成されている。凹部５４には、軸部２３が挿通孔３６に挿通された状態で、先端部５２が収容される。挿通孔３６は、軸部２３の基端側を回動可能に軸支する回動孔５６と、回動孔５６に軸部２３を案内する案内孔５７とを有している。
【００４２】
回動孔５６は、板状部材３５に円形状に開口されており、軸部２３の挿入によりハウジング２に対してカバー３を開閉可能に連結する。回動孔５６の直径は、軸部２３の基端側の長軸寸法、すなわち支持部５１の幅寸法よりも僅かに大きく、先端部５２の長軸方向の寸法よりも小さく形成されている。このため、軸部２３の基端側が回動孔５６に収まり、軸部２３の先端側の張り出し部５３が回動孔５６に対して径方向にはみ出される。よって、ハウジング２に対するカバー３の開閉時にひねり等の過負荷が加わっても、張り出し部５３が板状部材３５に係合され、回動孔５６からの軸部２３の抜け外れが抑制される。また、腕片１７は、補強部２４により剛性が高められているため、ひねり等の過負荷による弾性変形が抑えられ、回動孔５６からの軸部２３の抜け外れがさらに防止される。
【００４３】
案内孔５７は、板状部材３５に略Ｌ字状に開口されており、軸部２３を回動孔５６に案内する。案内孔５７は、回動孔５６からハウジング２に対するカバー３のスライド方向に延在するスライド孔５８と、スライド孔５８から下方に延在する組み付け孔５９とを有している。スライド孔５８の幅寸法は、軸部２３の基端側の長軸寸法である支持部５１の幅寸法よりも小さく、軸部２３の基端側の短軸寸法である一対の支持部５１の外面の対向寸法よりも大きく形成されている。したがって、スライド孔５８は、軸部２３の長軸寸法を横向きにしたカバー３の閉状態で、ハウジング２に対してカバー３を前後方向にスライドさせる。
【００４４】
また、スライド孔５８は、回動孔５６からハウジング２に対してカバー３が閉状態でロックされるロック位置まで延在している。したがって、軸部２３がスライド孔５８に沿って前後方向にスライドされることで、ハウジング２に対するカバー３のロックおよびロック解除が切り替えられる。組み付け孔５９の幅寸法は、先端部５２の長軸寸法よりも僅かに大きく形成されている。カバー３は、この組み付け孔５９を介して下側から軸部２３を挿通孔３６に挿通させることにより、ハウジング２に対して組み付けられる。
【００４５】
以下、図４を参照して、ハウジングに対するカバーの組み付け作業について説明する。図４は、本発明の実施の形態に係るハウジングに対するカバーの組み付け作業の説明図である。なお、以下の説明では、上記したように、張り出し部間の寸法を軸部の先端部の長軸寸法、支持部の幅寸法を軸部の基端側の長軸寸法、一対の支持部の外面の対向寸法を軸部の基端側の短軸寸法として説明する。
【００４６】
図４（ａ）に示すように、カバー３がハウジング２に対して１８０度開いた状態で、下側から組み付けられる。この場合、カバー３の先端部５２の長軸寸法Ｌ１は、組み付け孔５９の幅寸法Ｌ２よりも僅かに小さく形成されており、組み付け孔５９を介して挿通孔３６に対する軸部２３の挿通が可能となる。なお、カバー３の先端部５２の長軸寸法Ｌ１は、組み付け孔５９に挿通可能であればよく、例えば、組み付け孔５９の幅寸法Ｌ２と同寸法に形成されてもよい。
【００４７】
次に、図４（ｂ）に示すように、カバー３が、ハウジング２に対して１８０度開いた状態を維持しつつ上方に移動される。軸部２３は、組み付け孔５９に沿って、ハウジング２からカバー３が外れる非連結位置からハウジング２に対してカバー３がロックされるロック位置に移動される。この場合、軸部２３の先端部５２は、板状部材３５の裏面側の凹部５４内に突出されている。
【００４８】
次に、図４（ｃ）に示すように、カバー３が、ハウジング２に対して１８０度開いた状態を維持しつつ回動孔５６に向けてスライドされる。軸部２３は、スライド孔５８に沿って、ロック位置から回動孔５６が形成された連結位置に向けて後方に移動される。この場合、軸部２３の基端側の短軸寸法Ｌ３は、スライド孔５８の幅寸法Ｌ４よりも小さく形成されており、カバー３の横向き姿勢でのスライドを可能としている。なお、カバー３の基端側の短軸寸法Ｌ３は、スライド孔５８に挿通可能であればよく、例えば、スライド孔５８の幅寸法Ｌ４と同寸法に形成されてもよい。
【００４９】
次に、図４（ｄ）に示すように、カバー３が、ハウジング２に対して１８０度開いた状態を維持しつつ回動孔５６で回動可能に連結される。この場合、回動孔５６の直径Ｌ５は、軸部２３の基端側の長軸寸法Ｌ６よりも僅かに大きく、軸部２３の先端部５２の長軸寸法Ｌ１よりも小さく形成されている。すなわち、軸部２３は、基端側において回動孔５６に回動可能に軸支され、先端側において張り出し部５３によって回動孔５６からの抜け外れが防止される。なお、カバー３の基端側の長軸寸法Ｌ６は、回動孔５６に回動可能に軸支されればよく、例えば、回動孔５６の直径Ｌ５と同寸法に形成されてもよい。
【００５０】
このようにして組み付けられたカード用コネクタ１は、取付片４５を介して実装基板に取り付けられる。カード用コネクタ１は、ハウジング２の下面を実装基板に載置するため、実装基板により組み付け孔５９が塞がれる。このため、実装基板に対するカード用コネクタ１の実装時には、組み付け孔５９を介してハウジング２からカバー３が取り外されることが防止される。
【００５１】
図５を参照して、カード用コネクタに対するカードの装着動作について説明する。図５は、本発明の実施の形態に係るカード用コネクタに対するカードの装着動作の説明図である。なお、図５の左側はカード用コネクタの部分拡大図、右側は上面図をそれぞれ示している。
【００５２】
図５（ａ）に示すように、カード５の装着時には、ハウジング２に対してカバー３が上方に開かれ、露出された収容部４にカード５が載置される。カード５は、収容部４によって位置決め状態で収容され、パッドとコンタクト端子３１との接触によりカード用コネクタ１との間の信号の授受が可能となる。次に、カバー３が、軸部２３と回動孔５６との連結部分を中心として回動される。
【００５３】
図５（ｂ）に示すように、カバー３がハウジング２に対して下方に回動されると、クリックバネ１６および爪片２２がハウジング２の側壁部２７の外側に位置される。また、軸部２３の基端側の長軸が、スライド孔５８の延在方向に向けられる。この場合、スライド孔５８の幅寸法は、軸部２３の基端側の長軸寸法よりも小さく、短軸寸法よりも大きく形成されている。これは、カバー３がハウジング２に対する閉状態の場合にのみ、ハウジング２に対してスライドさせるためである。よって、半開き状態のカバー３がハウジング２に対してスライドされることがなく、閉状態のカバー３をロック方向にスライドさせることが可能となる。
【００５４】
図５（ｃ）に示すように、カバー３が閉状態にされると、カバー３がハウジング２に対してロック方向にスライドされる。このとき、クリックバネ１６の凸部２１が側壁部２７に形成された傾斜部３８を乗り越えることでクリック感が生起されると共に、カバー３のオープン方向への後退が抑制される。また、爪片２２が側壁部２７に形成された規制部３７の下面に入り込みカバー３の開動作が規制される。よって、ハウジング２に対してカバー３が閉状態でロックされ、ハウジング２からのカード５が脱落することがない。
【００５５】
一方、カード用コネクタ１からカード５を取り外すときは、装着時と逆の動作を行えばよい。すなわち、カバー３をハウジング２に対してオープン方向にスライドしてロック状態を解除した後、ハウジング２に対してカバー３を開方向に回動させる。この状態で、カード５の後端部を摘まんで持ち上げることで、カード用コネクタ１からカード５が取り外される。
【００５６】
以上のように、本実施の形態に係るカード用コネクタ１によれば、案内孔５７を介して軸部２３が回動孔５６に位置付けられることで、カバー３をハウジング２に対して回動可能に連結することができる。このため、カバー３の腕片１７を弾性変形させることなく、ハウジング２に対してカバー３を容易に組み付けることができる。また、軸部２３の先端部５２に回動孔５６からはみ出すように張り出し部５３が設けられているため、カバー３の開閉時にひねり等の過負荷が加わっても、回動孔５６から軸部２３が抜け外れることがなく、ハウジング２からのカバー３の脱落が防止される。
【００５７】
なお、上記した実施の形態においては、本発明をマイクロＳＤカードに対応したカード用コネクタに適用する構成としたが、この構成に限定されるものではない。本発明は、カードとの信号の授受を行うカード用コネクタであれば、どのようなカード用コネクタにも適用可能である。例えば、規格の異なる複数のカードに対応可能なカード用コネクタや、光学式や磁気式等の非接触式のカード用コネクタに適用してもよい。
【００５８】
また、上記した実施の形態においては、軸部は、絞り加工により形成されたが、この構成に限定されるものではない。軸部は、軸状に形成されればよく、例えば、カシメやアウトサート成形により形成されてもよい。また、軸部は、カバーの腕片に絞り加工により一体に形成されたが、この構成に限定されるものではない。軸部は、カバーの腕片とは別体に形成されていてもよい。
【００５９】
また、上記した実施の形態においては、挿通孔は、ハウジングに埋設された板状部材に形成される構成としたが、この構成に限定されるものではない。挿通孔は、板状部材のようにハウジングに埋設される部材に形成される構成のみならず、ハウジング自体に形成される構成としてもよい。
【００６０】
また、上記した実施の形態においては、カバーがハウジングに対して２箇所において連結される構成としたが、この構成に限定されるものではない。カバーは、ハウジングに対して回動可能に連結されればよく、一か所において連結される構成としてもよい。
【００６１】
また、上記した実施の形態においては、挿通孔がスライド孔を含む構成としたが、この構成に限定されるものではない。カバーがハウジングに対してスライドしない構成とする場合には、挿通孔がスライド孔を有さない構成としてもよい。
【００６２】
また、上記した実施の形態においては、カバーがハウジングに対して下側から組み付けられる構成としたが、この構成に限定されるものではない。カバーは、実装基板に載置される載置面側から組み付けられる構成であれば、どの方向から組み付けられる構成としてもよい。また、カバーは、実装基板に実装後にハウジングから取り外し可能な構成とする場合には、実装面に関わらず、例えば、ハウジングに対して上側から組み付けられる構成としてもよい。
【００６３】
また、上記した実施の形態においては、軸部は、一対の支持部と先端部とで形成されたが、この構成に限定されるものではない。軸部は、挿通孔からの抜け止め用の張り出し部を有すれば、どのような形状に形成されてもよい。また、軸部の基端側を直交する長軸および段軸を有する断面形状とする場合には、一対の支持部を軸部の基端側とする構成に限定されるものではなく、例えば、トラック形状、角丸長方形状、楕円形状の断面形状を有するもので構成してもよい。
【００６４】
また、上記した実施の形態においては、本発明は、カバーに軸部を設け、ハウジングに挿通孔を設ける構成としたが、この構成に限定されるものではない。本発明は、カバーに挿通孔を設け、ハウジングに軸部を設ける構成としてもよい。
【００６５】
また、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【産業上の利用可能性】
【００６６】
以上説明したように、本発明は、ハウジングに対してカバーを容易に組み付けることができると共に、カードの着脱時にハウジングからカバーが脱落することを防止することができるという効果を有し、特に、ハウジングに対し開閉可能に連結されたカバーを有するカード用コネクタである。
【符号の説明】
【００６７】
１  カード用コネクタ
２  ハウジング
３  カバー
４  収容部
５  カード
２３  軸部
２４  補強部
３５  板状部材
３６  挿通孔
５１  支持部
５２  先端部
５３  張り出し部
５４  凹部
５６  回動孔
５７  案内孔
５８  スライド孔
５９  組み付け孔
【図１】
2012004011.tif 000003
【図２】
2012004011.tif 000004
【図３】
2012004011.tif 000005
【図４】
2012004011.tif 000006
【図５】
2012004011.tif 000007
【図６】
2012004011.tif 000008